(57)【要約】【課題】音や光の発生以外の方法で、非接触ＩＣカードの読み取り完了を確実にユーザに通知する。【解決手段】非接触ＩＣカード読取装置は、非接触ＩＣカードに記録された情報を読み取り、該情報を処理する読取部と、気流を生成するファンと、前記読取部による情報の処理が完了したならば、前記ファンにより生成された気流を、前記非接触ＩＣカードへ吹き付ける制御を行う制御部と、を有する。【選択図】図２
2011070375.tif 000002
【特許請求の範囲】
【請求項１】
非接触ＩＣカードに記録された情報を読み取り、該情報を処理する読取部と、
気流を生成するファンと、
前記読取部による情報の処理が完了したならば、前記ファンにより生成された気流を、前記非接触ＩＣカードへ吹き付ける制御を行う制御部と、
を有する非接触ＩＣカード読取装置。
【請求項２】
前記非接触ＩＣカード読取装置は、
前記ファンにより生成された気流を前記非接触ＩＣカード方向へ吹き出すための吹出口を更に有し、
前記ファンは、前記制御部の制御に従って気流を生成し、
前記制御部は、前記読取部による前記処理が完了したならば、前記ファンに所定時間だけ気流を生成させる、請求項１に記載の非接触ＩＣカード読取装置。
【請求項３】
前記制御部は、前記読取部による前記処理が完了した場合、所定期間だけ前記ファンを第１の回転速度で動作させ、該所定期間が経過した場合、又は該処理が完了しない場合、該ファンを第２の回転速度で動作させる、請求項２に記載の非接触ＩＣカード読取装置。
【請求項４】
前記非接触ＩＣカード読取装置は、
前記ファンにより生成された気流を前記非接触ＩＣカードの方向へ吹き出すための吹出口と、
前記ファンにより生成された気流を前記非接触ＩＣカード方向以外の方向へ排出するための排出口と、
前記制御部の制御に従って前記吹出口を遮蔽又は開口する吹出口遮蔽部と、
を更に有し、
前記制御部は、前記読取部による前記処理が完了した場合、所定期間だけ前記吹出口遮蔽部に前記吹出口を開口させ、該所定期間が経過した場合、又は該処理が完了しない場合、前記吹出口遮蔽部に前記前記吹出口を遮蔽させる、請求項１に記載の非接触ＩＣカード読取装置。
【請求項５】
前記制御部の制御に従って前記排出口を遮蔽又は開口する排出口遮蔽部を更に有し、
前記気流生成手段は、前記読取部による前記処理が完了した場合、更に前記排出口遮蔽部に前記排出口を遮蔽させ、該所定期間が経過した場合、又は該処理が完了しない場合、更に前記排出口遮蔽部に前記排出口を開口させる、請求項４に記載の非接触ＩＣカード読取装置。
【請求項６】
前記ファンは、前記気流生成手段の制御に従って順方向、又は逆方向に回転方向を切り替えるファンであって、
前記非接触ＩＣカード読取装置は、
逆方向に回転する前記ファンにより生成された気流を前記非接触ＩＣカードの方向へ吹き出すための吹出口と、
を更に有し、
前記制御部は、前記読取部による前記処理が完了した場合、所定期間だけ前記ファンを逆方向に回転させ、該所定期間が経過した場合、又は該処理が完了しない場合、前記ファンを順方向に回転させる、請求項１に記載の非接触ＩＣカード読取装置。
【請求項７】
前記非接触ＩＣカード以外の方向から、前記非接触ＩＣカード読取装置内部へ空気を取り込むための取込口と、
前記非接触ＩＣカード読取装置内部から前記取入口へ空気が流れることを防ぐ取込口用逆止弁と、
を更に有する、請求項６に記載の非接触ＩＣカード読取装置。
【請求項８】
前記吹出口から前記非接触ＩＣカード読取装置内部へ空気が流れることを防ぐ吹出口用逆止弁を更に有する、請求項６又は７に記載の非接触ＩＣカード読取装置。
【請求項９】
非接触ＩＣカードから情報を読み出し、該情報を更新し、更新後の該情報を該非接触ＩＣカードに書き込む読取書込部と、
気流を生成するファンと、
前記読取書込部による情報の書き込みが完了したならば、前記ファンにより生成された気流を、前記非接触ＩＣカードへ吹き付ける制御を行う制御部と、
を有する非接触ＩＣカード読取書込装置。
【請求項１０】
読取部が、非接触ＩＣカードに記録された情報を読み取り、
該情報を処理し、
制御部が、前記読取部による情報の処理が完了したならば、前記ファンにより生成された気流を前記非接触ＩＣカードへ吹き付ける制御を行う、非接触ＩＣカード読取装置の制御方法。
【発明の詳細な説明】
【技術分野】
【０００１】
本発明は、非接触ＩＣカードから情報を読み取る技術に関する。
【背景技術】
【０００２】
非接触ＩＣカードリーダで非接触ＩＣ(Integrated Circuit)カードから情報を読み取った際に、非接触ＩＣカードリーダが読み取り完了を光や音の発生によりユーザに通知することが多い。
【０００３】
光を発生させる場合、読み取り時に非接触ＩＣカードとユーザの手とが、非接触ＩＣカードリーダの読み取り面を覆ってしまうので、光をユーザが視認できるように、その範囲外に発光部を設ける必要がある。このように、発光部を設ける箇所に制限があるので、発光部を搭載することは、非接触ＩＣカードリーダの設計において障害となることがある。また、視力に乏しい人は、読み取りの完了を視認しにくい。
【０００４】
音の発生による通知は、静かな店舗ではうるさすぎて周辺の人に迷惑をかけることがあり、逆に騒がしい店舗では、聞き取りにくいことがある。また、聴覚に乏しい人は、読み取りの完了を認知しにくい。
【０００５】
このため、光や音の発生以外の方法で読み取りを通知する技術が求められている。
【０００６】
特許文献１に記載された読取装置は、読取装置内に設けた振動板を振動させることにより、空気振動を発生させる。空気振動の発生により、ユーザは、読み取りが完了したことを知ることができる。
【先行技術文献】
【特許文献】
【０００７】
【特許文献１】特開２００２−２７９３６１号公報
【発明の概要】
【発明が解決しようとする課題】
【０００８】
しかし、特許文献１に記載された振動板の振動による空気振動は微弱であり、ユーザが空気振動を感じ取ることができないことがあった。
【０００９】
本発明は、音や光の発生以外の方法で、非接触ＩＣカードの読み取り完了を確実にユーザに通知する技術を提供することを目的とする。
【課題を解決するための手段】
【００１０】
上記目的を達成するために、本発明の非接触ＩＣカード読取装置は、非接触ＩＣカードに記録された情報を読み取り、該情報を処理する読取部と、気流を生成するファンと、前記読取部による情報の処理が完了したならば、前記ファンにより生成された気流を、前記非接触ＩＣカードへ吹き付ける制御を行う制御部と、を有する。
【００１１】
本発明の非接触ＩＣカード読取装置の制御方法は、読取部が、非接触ＩＣカードに記録された情報を読み取り、該情報を処理し、制御部が、前記読取部による情報の処理が完了したならば、前記ファンにより生成された気流を前記非接触ＩＣカードへ吹き付ける制御を行う、非接触ＩＣカード読取装置の制御方法である。
【発明の効果】
【００１２】
本発明によれば、非接触ＩＣカード読取装置は、非接触ＩＣカードから読み取られた情報の処理が完了したとき、ファンで生成された気流を非接触ＩＣカードへ吹き付けるので、非接触ＩＣカードの読み取り完了を利用者に確実に通知できる。
【図面の簡単な説明】
【００１３】
【図１】本発明の第１の実施形態の非接触ＩＣカードリーダ／ライタの斜視図の一例である。
【図２】本発明の第１の実施形態の非接触ＩＣカードリーダ／ライタの一構成例を示すブロック図である。
【図３】本発明の第１の実施形態の非接触ＩＣカードリーダ／ライタの動作を示すフローチャートである。
【図４】本発明の第１の実施形態の決済処理を示すフローチャートである。
【図５】本発明の第２の実施形態の非接触ＩＣカードリーダ／ライタの斜視図の一例である。
【図６】本発明の第２の実施形態の非接触ＩＣカードリーダ／ライタの断面図である。
【図７】本発明の第２の実施形態の非接触ＩＣカードリーダ／ライタの断面図である。
【図８】本発明の第２の実施形態の非接触ＩＣカードリーダ／ライタの動作を示すフローチャートである。
【図９】本発明の第２の実施形態の非接触ＩＣカードリーダ／ライタの斜視図の一例である。
【図１０】本発明の第３の実施形態の非接触ＩＣカードリーダ／ライタの断面図である。
【図１１】本発明の第３の実施形態の非接触ＩＣカードリーダ／ライタの断面図である。
【図１２】本発明の第３の実施形態の非接触ＩＣカードリーダ／ライタの動作を示すフローチャートである。
【図１３】（ａ）本発明の第３の実施形態の非接触ＩＣカードリーダ／ライタにおける気流を示す図である。（ｂ）本発明の第３の実施形態の非接触ＩＣカードリーダ／ライタにおける気流を示す図である。
【図１４】（ａ）本発明の第３の実施形態の非接触ＩＣカードリーダ／ライタにおける気流を示す図である。（ｂ）本発明の第３の実施形態の非接触ＩＣカードリーダ／ライタにおける気流を示す図である。
【図１５】本発明の第４の実施形態の非接触ＩＣカードリーダ／ライタの斜視図の一例である。
【図１６】本発明の第４の実施形態の非接触ＩＣカードリーダ／ライタの動作を示すフローチャートである。
【発明を実施するための形態】
【００１４】
（第１の実施形態）
本発明を実施するための第１の実施形態について図面を参照して説明する。図１は、非接触ＩＣカードリーダ／ライタ１０の斜視図の一例である。非接触ＩＣカードリーダ／ライタは、非接触でＩＣカードに記録された情報を読み取り、そのＩＣカードに情報を書き込むための装置である。本実施形態では、非接触ＩＣカードリーダ／ライタ１０は、ＩＣチップを搭載したクレジットカードから情報を読み取り、商品やサービスの購入代金の決済のための処理をする。
【００１５】
非接触ＩＣカードリーダ／ライタ１０の上面には、非接触ＩＣカード２０のカードサイズ以上の面積を持つ平らな読取面１０１が設けられている。この読取面１０１には、複数の開口部からなる吹出口１０１１が設けられている。読取面１０１の下部には、非接触ＩＣカード２０と無線通信するためのアンテナ１０２が設けられている。また、非接触ＩＣカードリーダ／ライタ１０の内部には、ファン１０３が設けられている。
【００１６】
ファン１０３は、非接触ＩＣカードリーダ／ライタ１０の外部から空気を取り込み、非接触ＩＣカードリーダ／ライタ１０の内部へ送風する。ファン１０３により送風された空気は、吹出口１０１１から吹き出す。読取面１０１に非接触ＩＣカード２０がかざされていた場合、吹出口１０１１等から吹き出す気流が、この非接触ＩＣカード２０に吹きつけられる。
【００１７】
図２は、非接触ＩＣカードリーダ／ライタ１０の一構成例を示すブロック図である。同図を参照すると、非接触ＩＣカードリーダ／ライタ１０は、リード／ライト部１１１、ファン１０３、および制御部１１２を有する。図１におけるアンテナ１０２は、図２におけるリード／ライト部１１１に含まれる。
【００１８】
ユーザが、読取面１０１の上部に非接触ＩＣカード２０をかざすと、非接触ＩＣカード２０は、電磁誘導方式や電波反射方式により、カードに内蔵されたＩＣチップを識別するための識別情報を送信する。
【００１９】
リード／ライト部１１１は、アンテナ１０２で非接触ＩＣカード２０から識別情報を受信したとき、非接触ＩＣカード２０を検知する。そして、リード／ライト部１１１は、アンテナ１０２を介して、非接触ＩＣカード２０との間で暗号鍵を送受信する。リード／ライト部１１１は、非接触ＩＣカード２０から、その暗号鍵で暗号化されたカード情報を非接触ＩＣカード２０から読み出し、復号する。カード情報は、例えば、ユーザを識別するための情報や、そのユーザが利用可能な金額に関する情報などを含む。
【００２０】
制御部１１２は、復号したカード情報に基づいて代金の決済を行い、決済内容に応じてカード情報を更新する。
【００２１】
リード／ライト部１１１は、更新後のカード情報を非接触ＩＣカード２０に書き込む。
【００２２】
リード／ライト部１１１による書き込み処理が正常に終了したとき、制御部１１２は、ファン１０３を所定時間だけ動作させる。
【００２３】
ファン１０３が動作すると、前述したように、ファン１０３が送風する空気が吹出口１０１１から吹き出し、非接触ＩＣカード２０に吹きつけられる。この結果、非接触ＩＣカード２０を保持するユーザの手にも気流があたり、ユーザは、リード／ライトが完了したことを知ることができる。
【００２４】
図３は、非接触ＩＣカードリーダ／ライタ１０の動作を示すフローチャートである。この動作は、非接触ＩＣカードリーダ／ライタ１０に電源が投入されたときに開始する。
【００２５】
非接触ＩＣカードリーダ／ライタ１０は、非接触ＩＣカード２０を検知したか否かを判断する（ステップＳ１）。
【００２６】
非接触ＩＣカード２０を検知していなければ（ステップＳ１：ＮＯ）、非接触ＩＣカードリーダ／ライタ１０はステップＳ１に戻る。非接触ＩＣカード２０を検知したのであれば（ステップＳ１：ＹＥＳ）、非接触ＩＣカードリーダ／ライタ１０は、代金の決済を行うための決済処理を実行する（ステップＳ２）。
【００２７】
非接触ＩＣカードリーダ／ライタ１０は、決済処理が完了したか否かを判断する（ステップＳ３）。決済処理が完了していなければ（ステップＳ３：ＮＯ）、非接触ＩＣカードリーダ／ライタ１０は、ステップＳ３に戻る。
【００２８】
決済処理が完了したのであれば（ステップＳ３：ＹＥＳ）、非接触ＩＣカードリーダ／ライタ１０は、ファン１０３に電源を投入し、回転を開始させる（ステップＳ４）。
【００２９】
非接触ＩＣカードリーダ／ライタ１０は、ファン１０３に電源を投入してから一定時間が経過したか否かを判断する（ステップＳ５）。
【００３０】
一定時間が経過していなければ（ステップＳ５：ＮＯ）、非接触ＩＣカードリーダ／ライタ１０は、ステップＳ５に戻る。一定期間が経過したのであれば（ステップＳ５：ＹＥＳ）、非接触ＩＣカードリーダ／ライタ１０は、ファン１０３への電源を遮断し、ファン１０３を停止させる（ステップＳ６）。ステップＳ６の後、非接触ＩＣカードリーダ／ライタ１０は、ステップＳ１に戻る。
【００３１】
図４は、決済処理を示すフローチャートである。同図を参照すると、非接触ＩＣカードリーダ／ライタ１０は、非接触ＩＣカード２０からカード情報を読み出し、そのカード情報に基づいてユーザを認証し、代金の決済を行う（ステップＳ２１）。
【００３２】
非接触ＩＣカードリーダ／ライタ１０は、決済内容に応じてカード情報を更新し、更新後のカード情報を非接触ＩＣカード２０に書き込む（ステップＳ２２）。ステップＳ２２の後、非接触ＩＣカードリーダ／ライタ１０は、決済処理を終了する。
【００３３】
なお、本実施形態では、代金の決済に非接触ＩＣカードリーダ／ライタ１０を利用しているが、交通機関における支払いや、行政サービス、ユーザ認証など、非接触ＩＣカードから情報を読み出す必要のある用途であれば、他の用途に用いてもよい。
【００３４】
本実施形態では、非接触ＩＣカードリーダ／ライタ１０は、非接触ＩＣカード２０へのカード情報の書き込みが完了したときに、ファン１０３を動作させている。しかし、非接触ＩＣカードリーダ／ライタ１０が、非接触ＩＣカード２０への書き込みを行わず、カード情報の読み出しのみを行う場合、読み出した情報の処理が完了したときに、ファン１０３を動作させてもよい。例えば、ユーザ認証のみを行う場合、非接触ＩＣカードリーダ／ライタ１０は、カード情報に基づくユーザ認証が正常に完了したときにファン１０３を動作させる。
【００３５】
本実施形態では、非接触ＩＣカードリーダ／ライタ１０は、気流を吹き付けることのみにより、ユーザにリード／ライトの完了を通知しているが、気流の吹き付けに加え、音や光による通知を更に行ってもよいのは勿論である。
【００３６】
本実施形態の非接触ＩＣカードリーダ／ライタ１０は、本発明の非接触ＩＣカード読取装置の一例である。本実施形態のリード／ライト部１１１が本発明の読取部に相当する。
【００３７】
以上説明したように、本実施形態によれば、非接触ＩＣカード読取装置は、非接触ＩＣカードから読み取られた情報の処理が完了したとき、ファンで生成された気流を非接触ＩＣカードへ吹き付けるので、利用者にリード／ライトの完了を確実に通知できる。
【００３８】
（第２の実施形態）
本発明の第２の実施形態について、図５〜図８を参照して説明する。本実施形態の非接触ＩＣカードリーダ／ライタ１０ａは、吹出口１０１１を開閉させることにより、リード／ライト完了をユーザに通知するための気流を生成する点で、第１の実施形態と異なる。なお、本実施形態の非接触ＩＣカードリーダ／ライタ１０ａについて、図１〜図４で説明した構成と同様な構成の詳細な説明を省略し、第１の実施形態と異なる点について詳しく説明する。
【００３９】
図５は、本実施形態の非接触ＩＣカードリーダ／ライタ１０ａの斜視図の一例である。同図を参照すると、非接触ＩＣカードリーダ／ライタ１０ａの構成は、複数の開口部からなる排出口１０４が側面に更に設けられ、ファン１０３の代わりにファン１０３ａが設けられている点以外は、第１の実施形態の非接触ＩＣカードリーダ／ライタ１０と同様である。
【００４０】
ファン１０３ａは、非接触ＩＣカードリーダ／ライタ１０ａ内部の部品を冷却するためのファンである。ファン１０３ａは、非接触ＩＣカードリーダ／ライタ１０ａが動作している間、リード／ライトが完了したか否かにかかわらず、常に動作し続ける。
【００４１】
非接触ＩＣカードリーダ／ライタ１０ａ内部の構成について図６および図７を参照して説明する。
【００４２】
図６は、図５のＡ−Ａ´線を含み、下面に垂直な面における、非接触ＩＣカードリーダ／ライタ１０ａの断面図である。図６においてアンテナ１０２は省略されている。同図に示すように、吹出口１０１１下部には、吹出口用遮蔽板１０５と吹出口用アクチュエータ１０６とが設けられている。
【００４３】
吹出口用遮蔽板１０５は、吹出口用アクチュエータ１０６の動作に応じて、上面に平行な方向にスライドし、吹出口１０１１を遮蔽したり、開口したりする。吹出口用アクチュエータ１０６は、制御部１１２の制御に従って、吹出口用遮蔽板１０５を可動させる。
【００４４】
図７は、図５のＢ−Ｂ´線を含み、下面に垂直な面における、非接触ＩＣカードリーダ／ライタ１０ａの断面図である。図７においてアンテナ１０２は省略されている。同図に示すように、排出口１０４の上部には、排出口用遮蔽板１０７と排出口用アクチュエータ１０８とが設けられている。
【００４５】
排出口用遮蔽板１０７は、排出口用アクチュエータ１０８の動作に応じて、側面に平行な方向にスライドし、排出口１０４を遮蔽したり、開口したりする。排出口用アクチュエータ１０８は、制御部１１２の制御に従って、排出口用遮蔽板１０７を可動させる。
【００４６】
本実施形態の制御部１１２は、リード／ライト前において、吹出口用アクチュエータ１０６および排出口用アクチュエータ１０８を制御して、吹出口１０１１を遮蔽し、排出口１０４を開口しておく。そして、制御部１１２は、リード／ライトが完了したとき、吹出口用アクチュエータ１０６および排出口用アクチュエータ１０８を制御して、所定期間だけ吹出口１０１１を開口し、排出口１０４を遮蔽する。
【００４７】
図８は、非接触ＩＣカードリーダ／ライタ１０ａの動作を示すフローチャートである。同図を参照すると、非接触ＩＣカードリーダ／ライタ１０ａの動作は、ステップＳ４、Ｓ６の代わりにステップＳ４ａ、Ｓ６ａを実行する点以外は、第１の実施形態の非接触ＩＣカードリーダ／ライタ１０の動作と同様である。
【００４８】
決済処理が完了したのであれば（ステップＳ３：ＹＥＳ）、非接触ＩＣカードリーダ／ライタ１０ａは、吹出口１０１１を開口し、排出口１０４を遮蔽する（ステップＳ４ａ）。
【００４９】
非接触ＩＣカードリーダ／ライタ１０ａは、吹出口１０１１を開口してから一定時間が経過したか否かを判断する（ステップＳ５）。
【００５０】
一定時間が経過していなければ（ステップＳ５：ＮＯ）、非接触ＩＣカードリーダ／ライタ１０ａは、ステップＳ５に戻る。一定期間が経過したのであれば（ステップＳ５：ＹＥＳ）、非接触ＩＣカードリーダ／ライタ１０ａは、吹出口１０１１を遮蔽し、排出口１０４を開口する（ステップＳ６ａ）。
【００５１】
なお、本実施形態では、吹出口１０１１、排出口１０４の両方を遮蔽、開口する機構を設けている。しかし、排出口１０４を遮蔽しなくとも、ユーザに確実にリード／ライト完了を通知できるだけの風量の気流が吹出口１０１１から吹き出すのであれば、排出口１０４を遮蔽、開口する機構は設ける必要はない。
【００５２】
また、吹出口１０１１、排出口１０４を遮蔽、開口する機構は、遮蔽板とアクチュエータとの組み合わせに限らない。例えば、開口部周辺の部材を形状記憶合金とし、形状記憶合金を変形させることにより遮蔽、開口してもよい。
【００５３】
本実施形態では、排出口１０４を側面に設ける構成としているが、非接触ＩＣカード２０の方向以外の方向へ気流が吹き出すのであれば、前面や背面に排出口１０４を設けてもよい。
【００５４】
以上説明したように、本実施形態によれば、装置冷却用のファンを流用することができるので、リード／ライト完了を通知するための気流を生成するために別途ファンを設ける必要がなくなる。
【００５５】
（第３の実施形態）
本発明の第３の実施形態について、図９〜図１４を参照して説明する。本実施形態の非接触ＩＣカードリーダ／ライタ１０ｂは、ファンの回転方向を変えることにより、リード／ライトの完了をユーザに通知するための気流を生成する点で、第１の実施形態と異なる。なお、本実施形態の非接触ＩＣカードリーダ／ライタ１０ｂについて、図１〜図７で説明した構成と同様な構成の詳細な説明を省略し、第１の実施形態と異なる点について詳しく説明する。
【００５６】
図９は、本実施形態の非接触ＩＣカードリーダ／ライタ１０ｂの斜視図の一例である。同図を参照すると、非接触ＩＣカードリーダ／ライタ１０ｂの構成は、複数の開口部からなる取込口１０４ｂが側面に更に設けられ、ファン１０３の代わりにファン１０３ｂが設けられている点以外は、第１の実施形態の非接触ＩＣカードリーダ／ライタ１０と同様である。
【００５７】
ファン１０３ｂは、非接触ＩＣカードリーダ／ライタ１０ｂ内部の部品を冷却するためのファンである。このファン１０３ｂは、制御部１１２の制御に従って、順方向または逆方向に回転方向を変える。
【００５８】
ここで、順方向とは、非接触ＩＣカードリーダ／ライタ１０ｂ内部からファン１０３ｂを介して外部へ空気が吹き出すようにファン１０３ｂが回転する方向である。逆方向とは、順方向と逆の回転方向である。
【００５９】
本実施形態の制御部１１２は、リード／ライト前において、ファン１０３ｂを順方向に回転させる。そして、制御部１１２は、リード／ライトが完了したとき、所定時間だけファン１０３ｂを逆方向に回転させる。
【００６０】
図１０は、Ａ−Ａ´線を含み、下面に垂直な面における、非接触ＩＣカードリーダ／ライタ１０ｂの断面図である。同図においてアンテナ１０２は省略されている。同図を参照すると、吹出口１０１１に吹出口用逆止弁１０９が取り付けられている。
【００６１】
吹出口用逆止弁１０９は、非接触ＩＣカードリーダ／ライタ１０外部から吹出口１０１１を通じて非接触ＩＣカードリーダ／ライタ１０ｂ内部へ空気が流れ込むことを防止する。
【００６２】
図１１は、Ｂ−Ｂ´線を含み、下面に垂直な面における、非接触ＩＣカードリーダ／ライタ１０ｂの断面図である。同図においてアンテナ１０２は省略されている。同図を参照すると、取込口１０４ｂに取込口用逆止弁１１０が取り付けられている。
【００６３】
取込口用逆止弁１１０は、非接触ＩＣカードリーダ／ライタ１０内部から取込口１０４ｂを通じて非接触ＩＣカードリーダ／ライタ１０ｂ外部へ空気が吹き出すことを防止する。
【００６４】
吹出口用逆止弁１０９を設けることにより、ファン１０３ｂが順方向に回転している場合に、非接触ＩＣカードリーダ／ライタ１０ｂ内部に取り込まれる空気の風量が大きくなる。また、吹出口用逆止弁１０９を設けることにより、ファン１０３ｂが順方向に回転している場合に、非接触ＩＣカード２０が読取面１０１に吸着されることを防止できる。
【００６５】
取込口用逆止弁１１０を設けることにより、ファン１０３ｂが逆方向に回転している場合に、非接触ＩＣカードリーダ／ライタ１０ｂ外部へ吹き出す空気の風量が大きくなる。
【００６６】
図１２は、非接触ＩＣカードリーダ／ライタ１０ｂの動作を示すフローチャートである。同図を参照すると、非接触ＩＣカードリーダ／ライタ１０ｂの動作は、ステップＳ４、Ｓ６の代わりにステップＳ４ｂ、Ｓ１０を実行する点以外は、第１の実施形態の非接触ＩＣカードリーダ／ライタ１０の動作と同様である。
【００６７】
非接触ＩＣカードリーダ／ライタ１０ｂは、まず、ファン１０３ｂを順方向に回転させる（ステップＳ１０）。
【００６８】
そして、非接触ＩＣカードリーダ／ライタ１０ｂは、非接触ＩＣカード２０を検知したか否かを判断する（ステップＳ１）。
【００６９】
非接触ＩＣカード２０を検知したのであれば（ステップＳ１：ＹＥＳ）、非接触ＩＣカードリーダ／ライタ１０ｂは、代金の決済を行うための決済処理を実行する（ステップＳ２）。
【００７０】
決済処理が完了したのであれば（ステップＳ３：ＹＥＳ）、非接触ＩＣカードリーダ／ライタ１０ｂは、ファン１０３ｂを逆方向に回転させる（ステップＳ４ｂ）。
【００７１】
非接触ＩＣカードリーダ／ライタ１０ｂは、逆方向に回転させてから一定時間が経過したか否かを判断する（ステップＳ５）。
【００７２】
一定時間が経過していなければ（ステップＳ５：ＮＯ）、非接触ＩＣカードリーダ／ライタ１０ｂは、ステップＳ５に戻る。一定期間が経過したのであれば（ステップＳ５：ＹＥＳ）、非接触ＩＣカードリーダ／ライタ１０ｂは、ステップＳ１０に戻る。
【００７３】
図１３、図１４を参照して、ファン１０３ｂの回転方向の変化に伴う、気流の流れの変化について説明する。
【００７４】
図１３（ａ）は、ファン１０３ｂを順方向に回転させた場合における、Ａ−Ａ´線を含む面の断面図である。同図（ｂ）は、ファン１０３ｂを順方向に回転させた場合における、Ｂ−Ｂ´線を含む面の断面図である。同図（ａ）、（ｂ）においてアンテナ１０２は省略されている。
【００７５】
図１３（ａ）、（ｂ）に示すように、順方向に回転するファン１０３ｂは、非接触ＩＣカードリーダ／ライタ１０ｂ外部から取込口１０４ｂを通じて空気を取り込み、非接触ＩＣカードリーダ／ライタ１０ｂ内の部品を冷却する。このとき、吹出口１０１１には吹出口用逆止弁１０９が設けられているので、吹出口１０１１からは、非接触ＩＣカードリーダ／ライタ１０ｂ内部へ空気が取り込まれない。
【００７６】
図１４（ａ）は、ファン１０３ｂを逆方向に回転させた場合における、Ａ−Ａ´線を含む面の断面図である。同図（ｂ）は、ファン１０３ｂを逆方向に回転させた場合における、Ｂ−Ｂ´線を含む面の断面図である。同図（ａ）、（ｂ）においてアンテナ１０２は省略されている。
【００７７】
図１４（ａ）、（ｂ）に示すように、逆方向に回転するファン１０３ｂは、非接触ＩＣカードリーダ／ライタ１０ｂ内部へ空気を送風し、その空気は、吹出口１０１１から非接触ＩＣカードリーダ／ライタ１０ｂ外部へ吹き出す。このとき、取込口１０４ｂには取込口用逆止弁１１０が設けられているので、取込口１０４ｂからは、非接触ＩＣカードリーダ／ライタ１０ｂの外部へ空気が吹き出さない。
【００７８】
なお、本実施形態では、吹出口用逆止弁１０９、取込口用逆止弁１１０を両方とも設けているが、いずれか１方を設けない構成とすることもできる。
【００７９】
吹出口用逆止弁１０９を設けなくとも、非接触ＩＣカードリーダ／ライタ１０ｂ内の部品が十分に冷却されるだけの風量の空気が取り込まれ、非接触ＩＣカード２０が読取面１０１にあまり吸着されることがないのであれば、吹出口用逆止弁１０９を設ける必要はない。
【００８０】
取込口用逆止弁１１０を設けなくとも、ユーザに確実にリード／ライト完了を通知できるだけの風量の空気が吹出口１０１１から吹き出すのであれば、取込口用逆止弁１１０を設ける必要はない。
【００８１】
本実施形態では、吹出口用逆止弁１０９、取込口１０４ｂ、および取込口用逆止弁１１０を設けている。しかし、吹出口用逆止弁１０９、取込口１０４ｂ、および取込口用逆止弁１１０がなくとも、非接触ＩＣカード２０が読取面１０１にあまり吸着されることがないのであれば、これらを設けない構成とすることもできる。
【００８２】
本実施形態では、排出口１０４を側面に設ける構成としているが、非接触ＩＣカード２０の方向以外の方向へ気流が吹き出すのであれば、前面や背面に排出口１０４を設けてもよい。
【００８３】
以上説明したように、本実施形態によれば、装置冷却用のファンを流用することができるので、リード／ライト完了を通知する気流の生成のために別途ファンを設ける必要がなくなる。
【００８４】
また、遮蔽板やアクチュエータなどの、開口部を遮蔽、開口するための機構を設けなくてよいので、非接触ＩＣカードリーダ／ライタの部品点数や消費電力を低減できる。
【００８５】
（第４の実施形態）
本発明の第４の実施形態について、図１５、図１６を参照して説明する。本実施形態の非接触ＩＣカードリーダ／ライタ１０ｃは、ファンの回転速度を変えることにより、ユーザに読取完了を通知するための気流を生成する点で、第１の実施形態と異なる。なお、本実施形態の非接触ＩＣカードリーダ／ライタ１０について、図１〜図７で説明した構成と同様な構成の詳細な説明を省略し、第１の実施形態と異なる点について詳しく説明する。
【００８６】
図１５は、本実施形態の非接触ＩＣカードリーダ／ライタ１０ｃの斜視図の一例である。同図を参照すると、非接触ＩＣカードリーダ／ライタ１ｃは、ファン１０２の代わりにファン１０２ｃを有する点以外は、第１の実施形態の非接触ＩＣカードリーダ／ライタ１０と同様の構成である。
【００８７】
本実施形態の制御部１１２は、リード／ライト前において、ファン１０３ｃを所定の回転速度で回転させる。そして、制御部１１２は、リード／ライトが完了したとき、所定時間だけファン１０３の回転速度を増加させる。
【００８８】
ファン１０３ｃは、非接触ＩＣカードリーダ／ライタ１０ｃ内部の部品を冷却するためのファンであり、制御部１１２の制御に従って回転速度を変化させる。
【００８９】
図１６は、非接触ＩＣカードリーダ／ライタ１０ｃの動作を示すフローチャートである。同図を参照すると、非接触ＩＣカードリーダ／ライタ１０ｃの動作は、ステップＳ４、Ｓ６の代わりにステップＳ４ｃ、Ｓ６ｃ、Ｓ１０ｃを実行する点以外は、第１の実施形態の非接触ＩＣカードリーダ／ライタ１０の動作と同様である。
【００９０】
電源が投入されたとき、非接触ＩＣカードリーダ／ライタ１０ｃは、ファン１０３ｃを所定の回転速度で回転させる（ステップＳ１０ｃ）。
【００９１】
そして、非接触ＩＣカードリーダ／ライタ１０ｃは、非接触ＩＣカード２０を検知したか否かを判断する（ステップＳ１）。
【００９２】
非接触ＩＣカード２０を検知したのであれば（ステップＳ１：ＹＥＳ）、非接触ＩＣカードリーダ／ライタ１０ｃは、クレジットの決済を行うための決済処理を実行する（ステップＳ２）。
【００９３】
決済処理が完了したのであれば（ステップＳ３：ＹＥＳ）、非接触ＩＣカードリーダ／ライタ１０ｂは、ファン１０３ｃの回転速度を所定時間だけ増加させる（ステップＳ４ｃ）。
【００９４】
非接触ＩＣカードリーダ／ライタ１０ｃは、回転速度を増加させてから一定時間が経過したか否かを判断する（ステップＳ５）。
【００９５】
一定時間が経過していなければ（ステップＳ５：ＮＯ）、非接触ＩＣカードリーダ／ライタ１０ｃは、ステップＳ５に戻る。一定期間が経過したのであれば（ステップＳ５：ＹＥＳ）、非接触ＩＣカードリーダ／ライタ１０ｃは、ステップＳ１０ｃに戻る。
【００９６】
以上説明したように、本実施形態によれば、装置冷却用のファンを流用することができるので、リード／ライト完了を通知するための気流を生成するために別途ファンを設ける必要がなくなる。
【００９７】
また、遮蔽板やアクチュエータなどの、開口部を遮蔽、開口するための機構や逆止弁を設けなくてよいので、非接触ＩＣカードリーダ／ライタの部品点数や消費電力を低減できる。
【符号の説明】
【００９８】
１０、１０ａ、１０ｂ、１０ｃ    非接触ＩＣカードリーダ／ライタ
２０    非接触ＩＣカード
１０１    読取面
１０２    アンテナ
１０３、１０３ａ、１０３ｂ、１０３ｃ    ＦＡＮ
１０４    排出口
１０４ｂ    取込口
１０５    吹出口用遮蔽板
１０６    吹出口用アクチュエータ
１０７    排出口用遮蔽板
１０８    排出口用アクチュエータ
１０９    吹出口用逆止弁
１１０    取込口用逆止弁
１０１１    吹出口
１１１    リード／ライト部
１１２    制御部
【図１】
2011070375.tif 000003
【図２】
2011070375.tif 000004
【図３】
2011070375.tif 000005
【図４】
2011070375.tif 000006
【図５】
2011070375.tif 000007
【図６】
2011070375.tif 000008
【図７】
2011070375.tif 000009
【図８】
2011070375.tif 000010
【図９】
2011070375.tif 000011
【図１０】
2011070375.tif 000012
【図１１】
2011070375.tif 000013
【図１２】
2011070375.tif 000014
【図１３】
2011070375.tif 000015
【図１４】
2011070375.tif 000016
【図１５】
2011070375.tif 000017
【図１６】
2011070375.tif 000018